(57)【要約】【課題】１以上の蓄電素子及び当該蓄電素子を制御する制御機器のうちの少なくとも一方を有する蓄電機器同士を容易に接続することができる蓄電装置を提供する。【解決手段】１以上の蓄電素子２００及び蓄電素子２００を制御する制御機器１０３のうちの少なくとも一方を有する蓄電機器１００を備える蓄電装置１であって、蓄電機器１００と、当該蓄電機器１００と異なる他の蓄電機器１００とを接続可能な接続ユニットである電力用接続ユニット１１０及び制御用接続ユニット１２０を備え、当該接続ユニットは、蓄電機器１００と接続可能な蓄電機器接続部１１３、１１６、１２３、１２６と、蓄電機器接続部１１３、１１６、１２３、１２６と電気的に接続されるとともに、他の接続ユニットと接続可能なユニット接続部１１１、１２１とを有する。【選択図】図８
2018142547.tif 000002
【特許請求の範囲】
【請求項１】
１以上の蓄電素子及び当該蓄電素子を制御する制御機器のうちの少なくとも一方を有する蓄電機器を備える蓄電装置であって、
前記蓄電機器と、前記蓄電機器と異なる他の蓄電機器とを接続可能な接続ユニットを備え、
前記接続ユニットは、
前記蓄電機器と接続可能な蓄電機器接続部と、
前記蓄電機器接続部と電気的に接続されるとともに、他の接続ユニットと接続可能なユニット接続部とを有する
蓄電装置。
【請求項２】
前記蓄電機器接続部は、前記蓄電機器に含まれる複数の配線と電気的に接続される
請求項１に記載の蓄電装置。
【請求項３】
さらに、
前記蓄電機器接続部及び前記ユニット接続部のうちの少なくとも一方に接続される２つの配線を電気的に接続する配線接続部を備える
請求項１または２に記載の蓄電装置。
【請求項４】
前記蓄電装置は、さらに、前記他の蓄電機器と、前記他の接続ユニットとを備えており、
前記他の接続ユニットは、
前記他の蓄電機器と接続可能な他の蓄電機器接続部と、
前記他の蓄電機器接続部と電気的に接続されるとともに、前記ユニット接続部と接続可能な他のユニット接続部とを有する
請求項１〜３のいずれか１項に記載の蓄電装置。
【請求項５】
１以上の蓄電素子及び当該蓄電素子を制御する制御機器のうちの少なくとも一方を有する蓄電機器と、前記蓄電機器と異なる他の蓄電機器とを接続可能な接続ユニットであって、
前記蓄電機器と接続可能な蓄電機器接続部と、
前記蓄電機器接続部と電気的に接続されるとともに、他の接続ユニットと接続可能なユニット接続部と
を備える接続ユニット。
【発明の詳細な説明】
【技術分野】
【０００１】
本発明は、１以上の蓄電素子及び当該蓄電素子を制御する制御機器のうちの少なくとも一方を有する蓄電機器を備える蓄電装置及び蓄電機器同士を接続可能な接続ユニットに関する。
【背景技術】
【０００２】
１以上の蓄電素子（単電池）及び当該蓄電素子を制御する制御機器のうちの少なくとも一方を有する蓄電機器（電池モジュール）を複数備える蓄電装置が知られている。ここで、この蓄電装置においては、隣接する蓄電機器同士を電気的に接続する必要がある。このため、従来、隣接する蓄電機器の正極と負極の外部接続端子を配線で接続する蓄電装置が提案されている（例えば、特許文献１参照）。
【先行技術文献】
【特許文献】
【０００３】
【特許文献１】特開２００７−３１７４００号公報
【発明の概要】
【発明が解決しようとする課題】
【０００４】
しかしながら、上記従来の蓄電装置においては、蓄電機器同士を接続するための配線が複雑になるため、蓄電機器同士を接続する作業が困難になるという問題がある。
【０００５】
つまり、上記の特許文献１に開示された従来の蓄電装置においては、蓄電機器の両端部に正極外部接続端子と負極外部接続端子とが配置されており、蓄電機器の一端の正極外部接続端子と他の蓄電機器の他端の負極外部接続端子とを配線で接続する必要がある。このため、当該配線が長く複雑になり、蓄電機器同士を接続する作業が困難になる。
【０００６】
特に、蓄電機器を収容した収容容器同士を連結可能に構成して、蓄電機器の数を変更可能とするような構成の蓄電装置においては、収容容器同士を連結するたびに配線の接続を行う必要があるため、蓄電機器同士の接続の容易化は非常に重要である。
【０００７】
本発明は、上記問題を解決するためになされたものであり、１以上の蓄電素子及び当該蓄電素子を制御する制御機器のうちの少なくとも一方を有する蓄電機器同士を容易に接続することができる蓄電装置を提供することを目的とする。
【課題を解決するための手段】
【０００８】
上記目的を達成するために、本発明の一態様に係る蓄電装置は、１以上の蓄電素子及び当該蓄電素子を制御する制御機器のうちの少なくとも一方を有する蓄電機器を備える蓄電装置であって、前記蓄電機器と、前記蓄電機器と異なる他の蓄電機器とを接続可能な接続ユニットを備え、前記接続ユニットは、前記蓄電機器と接続可能な蓄電機器接続部と、前記蓄電機器接続部と電気的に接続されるとともに、他の接続ユニットと接続可能なユニット接続部とを有する。
【０００９】
これによれば、蓄電装置は、蓄電機器と他の蓄電機器とを接続可能な接続ユニットを備えており、接続ユニットは、蓄電機器と接続可能な蓄電機器接続部と、他の接続ユニットと接続可能なユニット接続部とを有している。つまり、隣接する蓄電機器に接続した接続ユニット同士を接続することで、隣接する蓄電機器を接続することができる。このため、当該蓄電装置によれば、当該接続ユニットを用いることで、蓄電機器同士を容易に接続することができる。特に、蓄電機器を収容した収容容器同士を連結可能に構成して、蓄電機器の数を変更可能とするような構成の蓄電装置においては、接続ユニットを接続するだけで蓄電機器同士を容易に接続することができるため、接続作業の効率を非常に高めることができる。
【００１０】
また、前記蓄電機器接続部は、前記蓄電機器に含まれる複数の配線と電気的に接続されることにしてもよい。
【００１１】
これによれば、接続ユニットの蓄電機器接続部は、蓄電機器に含まれる複数の配線と接続されるため、蓄電機器に含まれる複数の配線との接続を、蓄電機器接続部の一箇所でまとめて行うことができる。このため、接続ユニットと蓄電機器とを容易に接続することができる。
【００１２】
また、さらに、前記蓄電機器接続部及び前記ユニット接続部のうちの少なくとも一方に接続される２つの配線を電気的に接続する配線接続部を備えることにしてもよい。
【００１３】
これによれば、蓄電装置は、蓄電機器接続部及びユニット接続部のうち何も接続されていない接続部については、配線接続部によって、当該接続部に接続される２つの配線を短絡することができる。つまり、配線経路の終端部となるユニット接続部、または蓄電機器が接続されない蓄電機器接続部については、当該接続部内の途切れた配線を配線接続部によって繋ぐことができる。これにより、蓄電装置の構成に応じて異なる接続ユニットを製造する必要がないため、製造が容易になり、また蓄電装置の構成に応じて接続ユニットを変更するような必要もないため、接続作業を容易に行うことができる。
【００１４】
また、前記蓄電装置は、さらに、前記他の蓄電機器と、前記他の接続ユニットとを備えており、前記他の接続ユニットは、前記他の蓄電機器と接続可能な他の蓄電機器接続部と、前記他の蓄電機器接続部と電気的に接続されるとともに、前記ユニット接続部と接続可能な他のユニット接続部とを有することにしてもよい。
【００１５】
これによれば、蓄電装置は、２つの蓄電機器と、当該２つの蓄電機器のそれぞれと接続可能な２つの接続ユニットとを備えている。つまり、蓄電装置は、接続ユニットを用いることによって、蓄電機器を増設することができる。このように、蓄電機器の数を変更可能とするような構成の蓄電装置においては、接続ユニットを接続するだけで蓄電機器同士を容易に接続することができるため、接続作業の効率を高めることができる。
【００１６】
また、本発明は、蓄電装置として実現することができるだけでなく、蓄電装置が備える上記の接続ユニットとしても実現することができる。
【発明の効果】
【００１７】
本発明における蓄電装置によれば、１以上の蓄電素子を有する蓄電機器同士を容易に接続することができる。
【図面の簡単な説明】
【００１８】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電部の構成を示す斜視図である。
【図４】本発明の実施の形態に係る蓄電機器の外観を示す斜視図である。
【図５】本発明の実施の形態に係る蓄電素子を内部を透視して示す斜視図である。
【図６】本発明の実施の形態に係る蓄電部内での電力用接続ユニット及び制御用接続ユニットの配置を斜め上方から示す斜視図である。
【図７】本発明の実施の形態に係る蓄電部内での電力用接続ユニット及び制御用接続ユニットの配置を斜め下方から示す斜視図である。
【図８】本発明の実施の形態に係る電力用接続ユニット及び制御用接続ユニットと蓄電機器との接続構成を示す図である。
【図９】本発明の実施の形態に係る第一蓄電部の第一電力用接続ユニットと第二蓄電部の第二電力用接続ユニットとの接続の構成を示す図である。
【図１０】本発明の実施の形態に係る第一蓄電部が有する蓄電機器が取り外された場合の第一電力用接続ユニットの接続の構成を示す図である。
【図１１】本発明の実施の形態の変形例に係る第一蓄電部の第一電力用接続ユニットと第二蓄電部の第二電力用接続ユニットとの接続の構成を示す図である。
【図１２】本発明の実施の形態の変形例に係る蓄電装置の外観を示す斜視図である。
【図１３】本発明の実施の形態の変形例に係る蓄電装置の外観を示す斜視図である。
【発明を実施するための形態】
【００１９】
以下、図面を参照しながら、本発明の実施の形態に係る蓄電装置及び接続ユニットについて説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２０】
（実施の形態）
まず、蓄電装置１の構成について、説明する。
【００２１】
図１は、本発明の実施の形態に係る蓄電装置１の外観を示す斜視図である。また、図２は、本発明の実施の形態に係る蓄電装置１を分解した場合の各構成要素を示す分解斜視図である。
【００２２】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００２３】
蓄電装置１は、外部からの電気を充電し、また外部へ電気を放電することができる装置である。例えば、蓄電装置１は、太陽光発電などの発電設備が発電した電力や商用電力系統からの電力を貯蔵する電力貯蔵用途、または貯蔵した電力を負荷に供給する電源用途などに使用される充放電装置である。
【００２４】
これらの図に示すように、蓄電装置１は、パワーコンディショナー部２０と、複数の蓄電部１０（本実施の形態では２つの蓄電部である第一蓄電部１０Ａ及び第二蓄電部１０Ｂ）と、ベース部３０とを備えている。
【００２５】
パワーコンディショナー部２０は、蓄電装置１の最上段に配置される外形が矩形状の部位であり、複数の蓄電部１０の上方に配置（第一蓄電部１０Ａの上面に載置）されている。パワーコンディショナー部２０は、入出力部２１を有しており、入出力部２１は、商用電力系統及び電力負荷に接続された分電盤や、太陽光発電などの発電設備と接続される。
【００２６】
つまり、パワーコンディショナー部２０は、入出力部２１を介して、当該発電設備で発電された電力や商用電力系統からの電力を受電する。そして、パワーコンディショナー部２０は、当該発電設備で発電された電力の電圧を調整したり商用電力系統からの交流電力を直流電力に変換したりして、複数の蓄電部１０へ送電する。
【００２７】
また、パワーコンディショナー部２０は、複数の蓄電部１０に貯蔵されている電力を電力負荷に供給するために、当該電力を交流に変換して、入出力部２１を介して、分電盤へ送電する。
【００２８】
なお、パワーコンディショナー部２０の内方には、排気のためのファンなど、その他の機器が配置されていてもかまわない。また、パワーコンディショナー部２０の外形は、矩形状には限定されず、四角錐形状など種々の形状が適用可能である。
【００２９】
複数の蓄電部１０（第一蓄電部１０Ａ及び第二蓄電部１０Ｂ）は、パワーコンディショナー部２０の下方に配置され、またベース部３０の上方に配置される外形が矩形状の部位である。本実施の形態では、ベース部３０上に第二蓄電部１０Ｂが載置され、第二蓄電部１０Ｂ上に第一蓄電部１０Ａが載置され、第一蓄電部１０Ａ上にパワーコンディショナー部２０が載置されている。
【００３０】
ここで、複数の蓄電部１０は、同じ外形状を有するとともに、互いに連結可能に構成されており、いずれかの蓄電部１０を取り外したり、他の蓄電部１０を増設したりすることができる。つまり、本実施の形態では、２つの蓄電部１０（第一蓄電部１０Ａ及び第二蓄電部１０Ｂ）が配置されているが、蓄電部１０を着脱することにより、蓄電部１０の数を増減することができる構成になっている。
【００３１】
また、複数の蓄電部１０は、パワーコンディショナー部２０からの電気を充電し、またパワーコンディショナー部２０へ電気を放電する。なお、本実施の形態では、複数の蓄電部１０は、直列接続されている。また、蓄電部１０の外形は、矩形状には限定されず、四角錐台形状など種々の形状が適用可能である。この蓄電部１０の構成の詳細な説明については、後述する。
【００３２】
ベース部３０は、複数の蓄電部１０を載置するための支持台である。具体的には、ベース部３０は、金属製の矩形及び板状の部材であり、上面に蓄電部１０（本実施の形態では、第二蓄電部１０Ｂ）を載置する。なお、ベース部３０の形状は、矩形及び板状には限定されず、円盤状など種々の形状が適用可能である。また、ベース部３０の材質も金属に限定されず、樹脂などによって形成されていてもよい。
【００３３】
次に、蓄電部１０の構成について、詳細に説明する。
【００３４】
図３は、本発明の実施の形態に係る蓄電部１０の構成を示す斜視図である。具体的には、同図は、前面（Ｘ軸マイナス側の面）のカバーを取り外した場合での蓄電部１０の構成を示す斜視図である。
【００３５】
同図では、蓄電部１０として第一蓄電部１０Ａを図示しており、以下では第一蓄電部１０Ａについての説明を中心に行う。なお、第二蓄電部１０Ｂについても第一蓄電部１０Ａと同様の構成を有するため、第二蓄電部１０Ｂについての詳細な説明は簡略化または省略する。
【００３６】
同図に示すように、蓄電部１０は、収容容器１１を備えており、収容容器１１には２つの蓄電機器１００が収容されている。つまり、第一蓄電部１０Ａは、２つの第一蓄電機器１００Ａと、当該２つの第一蓄電機器１００Ａが収容された第一収容容器１１Ａとを備えている。また、同様に、第二蓄電部１０Ｂは、２つの第二蓄電機器１００Ｂ（図示せず）と、当該２つの第二蓄電機器１００Ｂが収容された第二収容容器１１Ｂ（図示せず）とを備えている。
【００３７】
ここで、蓄電機器１００は、１以上の蓄電素子（後述の蓄電素子２００）及び当該蓄電素子を制御する制御機器（後述の制御機器１０３）のうちの少なくとも一方を有する機器である。本実施の形態では、蓄電機器１００（第一蓄電機器１００Ａ及び第二蓄電機器１００Ｂ）は、それぞれ１以上の蓄電素子（後述の蓄電素子２００）及び制御機器（後述の制御機器１０３）を有しているが、蓄電素子または制御機器を有していない構成でもかまわない。
【００３８】
つまり、蓄電機器１００は、制御機器１０３を有することなく蓄電素子２００を有している構成でもよいし、蓄電素子２００を有することなく制御機器１０３を有している構成でもかまわない。この蓄電機器１００、蓄電素子２００及び制御機器１０３の構成の詳細な説明については、後述する。なお、収容容器１１に収容される蓄電機器１００は１つでもよいし、３つ以上でもかまわない。
【００３９】
収容容器１１は、矩形状の金属製の部材である。なお、収容容器１１の形状は、矩形状には限定されず、四角錐台形状など種々の形状が適用可能である。また、収容容器１１の材質も金属に限定されず、樹脂などによって形成されていてもよい。
【００４０】
収容容器１１は、上面（Ｚ軸プラス側の面）の四隅及び長辺の中央部分に、パワーコンディショナー部２０または他の収容容器１１を載置するための６つの平板状の載置部１２を有している。
【００４１】
つまり、第一収容容器１１Ａは、上面に６つの第一載置部１２Ａを有しており、当該６つの第一載置部１２Ａにパワーコンディショナー部２０が載置されて、ボルト締めなどによって第一収容容器１１Ａとパワーコンディショナー部２０とが連結される。
【００４２】
また、同様に、第二収容容器１１Ｂは、上面に６つの第二載置部１２Ｂ（図示せず）を有しており、当該６つの第二載置部１２Ｂに第一収容容器１１Ａが載置されて、ボルト締めなどによって第一収容容器１１Ａと第二収容容器１１Ｂとが連結される。
【００４３】
つまり、第一収容容器１１Ａと第二収容容器１１Ｂとは、同一形状で形成されており、第一収容容器１１Ａは、第二収容容器１１Ｂと連結可能に構成されている。
【００４４】
また、蓄電部１０は、電力用配線を接続するための電力用接続ユニット１１０と、制御用配線を接続するための制御用接続ユニット１２０とを備えている。電力用接続ユニット１１０及び制御用接続ユニット１２０は、蓄電機器１００と、当該蓄電機器１００と異なる他の蓄電機器１００とを接続可能な接続ユニットである。
【００４５】
つまり、蓄電機器１００には電力用接続ユニット１１０及び制御用接続ユニット１２０が接続され、収容容器１１には、電力用接続ユニット１１０及び制御用接続ユニット１２０が挿入される対向開口部１３が形成されるとともに、２つのグロメット１３０が設けられている。
【００４６】
ここで、対向開口部１３は、収容容器１１が他の収容容器１１と連結された場合に当該他の収容容器１１に対向する面である対向面に形成された開口部である。つまり、対向開口部１３は、当該対向面である収容容器１１の底面に形成された矩形状の貫通孔である。なお、対向開口部１３の形状は、矩形状には限定されず、円形状などでもかまわない。また、対向開口部１３は、貫通孔には限定されず、切り欠きなど空間を形成する形状であればどのような形状でもかまわない。
【００４７】
また、グロメット１３０は、円盤形状の部材であり、ゴムなどの弾性部材によって形成されている。また、２つのグロメット１３０が収容容器１１の上面に配置されている。なお、グロメット１３０の形状及び材質は、特に限定されない。
【００４８】
なお、第一収容容器１１Ａの第一対向開口部１３Ａは、第二収容容器１１Ｂに設けられた第二グロメット１３０Ｂと対応する位置に形成されている。具体的には、第二グロメット１３０Ｂが第一対向開口部１３Ａの内方に配置されるように、第一対向開口部１３Ａと第二グロメット１３０Ｂとが配置されている。
【００４９】
また、同様に、第一収容容器１１Ａの第一グロメット１３０Ａは、第一蓄電部１０Ａと第二蓄電部１０Ｂとを入れ替えた場合に、第二収容容器１１Ｂに形成された第二対向開口部１３Ｂと対応する位置に形成されている。
【００５０】
また、電力用接続ユニット１１０は、複数の蓄電部１０内の蓄電機器１００同士を接続し、また、蓄電部１０内の蓄電機器１００とパワーコンディショナー部２０とを接続する電力送電用の配線及びコネクタである。つまり、電力用接続ユニット１１０は、各蓄電機器１００が有する後述の蓄電素子２００と電気的に接続されており、当該蓄電素子２００を充電するための電力をパワーコンディショナー部２０から供給したり、蓄電素子２００から放電される電力をパワーコンディショナー部２０に送電したりする。
【００５１】
また、制御用接続ユニット１２０は、複数の蓄電部１０内の蓄電機器１００同士を接続し、また、蓄電部１０内の蓄電機器１００とパワーコンディショナー部２０とを接続する制御用の配線及びコネクタである。つまり、制御用接続ユニット１２０は、各蓄電機器１００が有する後述の制御機器１０３と電気的に接続されており、各蓄電機器１００が有する蓄電素子２００を制御する。
【００５２】
具体的には、第一蓄電部１０Ａは、第一蓄電機器１００Ａに接続される第一電力用接続ユニット１１０Ａ及び第一制御用接続ユニット１２０Ａを備えている。また、第二蓄電部１０Ｂは、第二蓄電機器１００Ｂに接続される第二電力用接続ユニット１１０Ｂ及び第二制御用接続ユニット１２０Ｂを備えている。
【００５３】
そして、第一電力用接続ユニット１１０Ａ及び第一制御用接続ユニット１２０Ａのそれぞれは、第一収容容器１１Ａに設けられた２つの第一グロメット１３０Ａに挿入されて、パワーコンディショナー部２０に接続される。また、第二電力用接続ユニット１１０Ｂ及び第二制御用接続ユニット１２０Ｂのそれぞれは、第二収容容器１１Ｂに設けられた２つの第二グロメット１３０Ｂ（図示せず）に挿入され、また、第一収容容器１１Ａに設けられた第一対向開口部１３Ａに挿入されて、第一電力用接続ユニット１１０Ａ及び第一制御用接続ユニット１２０Ａに接続される。
【００５４】
なお、電力用接続ユニット１１０（第一電力用接続ユニット１１０Ａ及び第二電力用接続ユニット１１０Ｂ）及び制御用接続ユニット１２０（第一制御用接続ユニット１２０Ａ及び第二制御用接続ユニット１２０Ｂ）のさらに詳細な説明については、後述する。
【００５５】
次に、蓄電機器１００（第一蓄電機器１００Ａ及び第二蓄電機器１００Ｂ）の構成について、詳細に説明する。
【００５６】
図４は、本発明の実施の形態に係る蓄電機器１００の外観を示す斜視図である。
【００５７】
同図に示すように、蓄電機器１００（第一蓄電機器１００Ａ及び第二蓄電機器１００Ｂ）は、正極外部接続端子１０１及び負極外部接続端子１０２と、制御機器１０３と、下側連結部材１０４及び上側連結部材１０５と、複数の蓄電素子２００とを備えている。
【００５８】
正極外部接続端子１０１及び負極外部接続端子１０２は、蓄電機器１００が外部からの電気を充電し、また外部へ電気を放電するための電極端子である。つまり、蓄電機器１００は、正極外部接続端子１０１及び負極外部接続端子１０２を介して、外部からの電気を充電し、また外部へ電気を放電する。
【００５９】
ここで、蓄電機器１００の正極外部接続端子１０１及び負極外部接続端子１０２は、ともに、蓄電機器１００の対向開口部１３側（グロメット１３０側）に配置されている。また、正極外部接続端子１０１及び負極外部接続端子１０２は、離間して配置されている。
【００６０】
制御機器１０３は、制御基板が収容された機器である。この制御基板は、複数の蓄電素子２００の状態を取得し、監視し、制御することのできる基板であり、配線によって複数の蓄電素子２００に接続されている。ここで、当該配線は、蓄電素子２００の正極端子または負極端子と制御基板とを繋ぐリード線である。また、本実施の形態では、制御機器１０３は、２枚の制御基板を有している。
【００６１】
具体的には、制御機器１０３は、複数の蓄電素子２００の充電状態や放電状態（電圧、温度などの電池状態）などを監視する。制御機器１０３の制御基板には、例えば、当該監視を行ったり、リレーのオン、オフを制御したり、他の機器と通信を行ったりするための制御回路が設けられている。
【００６２】
下側連結部材１０４及び上側連結部材１０５は、複数の蓄電素子２００を連結する部材であり、下側連結部材１０４は下側の連結部材、上側連結部材１０５は、上側の連結部材である。つまり、下側連結部材１０４と上側連結部材１０５とで複数の蓄電素子２００を挟み込むように固定することで、複数の蓄電素子２００を連結する。
【００６３】
具体的には、下側連結部材１０４及び上側連結部材１０５は、平板状の部材であり、例えば金属などによって形成されている。これにより、複数の蓄電素子２００を強固に安定して固定することができる。なお、下側連結部材１０４及び上側連結部材１０５の材質及び形状は、特に限定されない。
【００６４】
また、本実施の形態では、１２個の蓄電素子２００が直列に接続されて配置されている。この蓄電素子２００の詳細な構成の説明は、後述する。なお、蓄電素子２００は並列に接続されていてもよく、蓄電素子２００の個数は限定されず、１個であっても、１２個以外の複数個であってもよい。
【００６５】
なお、その他、蓄電機器１００には、複数の蓄電素子２００同士を電気的に接続するバスバーなどが配置されているが、説明を省略する。また、蓄電機器１００には、ファンなどの冷却装置が設置されていてもかまわない。
【００６６】
次に、蓄電素子２００の構成について、詳細に説明する。
【００６７】
図５は、本発明の実施の形態に係る蓄電素子２００を内部を透視して示す斜視図である。
【００６８】
蓄電素子２００は、電気を充電し、また、電気を放電することのできる二次電池（単電池）であり、より具体的には、リチウムイオン二次電池などの非水電解質二次電池である。なお、蓄電素子２００は、非水電解質二次電池には限定されず、非水電解質二次電池以外の二次電池であってもよいし、キャパシタであってもよい。
【００６９】
同図に示すように、蓄電素子２００は、容器２１０、正極端子２３０及び負極端子２４０を備え、容器２１０は、上壁である容器蓋部２２０を備えている。また、容器２１０内方には、電極体２５０、正極集電体２６０及び負極集電体２７０が配置されている。なお、容器２１０の内部には電解液などの液体が封入されているが、当該液体の図示は省略する。
【００７０】
容器２１０は、金属からなる矩形筒状で底を備える筐体本体と、当該筐体本体の開口を閉塞する金属製の容器蓋部２２０とで構成されている。また、容器２１０は、電極体２５０等を内部に収容後、容器蓋部２２０と筐体本体とが溶接等されることにより、内部を密封することができるものとなっている。なお、容器２１０の材質は、特に限定されないが、例えばステンレス鋼やアルミニウムなど溶接可能な金属であるのが好ましい。
【００７１】
電極体２５０は、正極と負極とセパレータとを備え、電気を蓄えることができる発電要素である。具体的には、電極体２５０は、正極と負極との間にセパレータが挟み込まれるように層状に配置されたものを全体が長円形状となるように巻回されて形成された巻回型の電極体である。なお、電極体２５０は、平板状極板を積層した積層型の電極体であってもかまわない。
【００７２】
ここで、正極は、アルミニウムまたはアルミニウム合金などからなる長尺帯状の導電性の正極集電箔の表面に正極活物質層が形成された電極板であり、負極は、銅または銅合金などからなる長尺帯状の導電性の負極集電箔の表面に負極活物質層が形成された電極板であり、セパレータは、微多孔性のシートである。なお、蓄電素子２００に用いられる正極、負極及びセパレータは、特に従来用いられてきたものと異なるところはなく、蓄電素子２００の性能を損なうものでなければ適宜公知の材料を使用できる。また、容器２１０に封入される電解液（非水電解液）としても、蓄電素子２００の性能を損なうものでなければその種類に特に制限はなく様々なものを選択することができる。
【００７３】
正極端子２３０は、正極集電体２６０を介して、電極体２５０の正極に電気的に接続された電極端子であり、負極端子２４０は、負極集電体２７０を介して、電極体２５０の負極に電気的に接続された電極端子であり、いずれも容器蓋部２２０に取り付けられている。つまり、正極端子２３０及び負極端子２４０は、電極体２５０に蓄えられている電気を蓄電素子２００の外部空間に導出し、また、電極体２５０に電気を蓄えるために蓄電素子２００の内部空間に電気を導入するための金属製の電極端子である。
【００７４】
具体的には、蓄電機器１００に備えられた複数の蓄電素子２００のうち正極外部接続端子１０１側に配置された蓄電素子２００の正極端子２３０が正極外部接続端子１０１と接続され、当該蓄電素子２００の負極端子２４０は、隣接する蓄電素子２００の正極端子２３０と接続される。また同様に、当該複数の蓄電素子２００のうち負極外部接続端子１０２側に配置された蓄電素子２００の負極端子２４０が負極外部接続端子１０２と接続され、当該蓄電素子２００の正極端子２３０は、隣接する蓄電素子２００の負極端子２４０と接続される。また、その他の蓄電素子２００の正極端子２３０または負極端子２４０は、隣接する蓄電素子２００の負極端子２４０または正極端子２３０と接続される。
【００７５】
正極集電体２６０は、電極体２５０の正極と容器２１０の側壁との間に配置され、正極端子２３０と正極とに電気的に接続される導電性と剛性とを備えた部材である。なお、正極集電体２６０は、正極の正極集電箔と同様、アルミニウムまたはアルミニウム合金などで形成されている。また、負極集電体２７０は、電極体２５０の負極と容器２１０の側壁との間に配置され、負極端子２４０と電極体２５０の負極とに電気的に接続される導電性と剛性とを備えた部材である。なお、負極集電体２７０は、負極の負極集電箔と同様、銅または銅合金などで形成されている。
【００７６】
ここで、電力用接続ユニット１１０及び制御用接続ユニット１２０の接続構成について、詳細に説明する。
【００７７】
図６は、本発明の実施の形態に係る蓄電部１０内での電力用接続ユニット１１０及び制御用接続ユニット１２０の配置を斜め上方から示す斜視図である。
【００７８】
また、図７は、本発明の実施の形態に係る蓄電部１０内での電力用接続ユニット１１０及び制御用接続ユニット１２０の配置を斜め下方から示す斜視図である。なお、図７では、蓄電部１０内の下部の電力用接続ユニット１１０及び制御用接続ユニット１２０の配置は、省略して図示している。
【００７９】
これらの図に示すように、電力用接続ユニット１１０は、ユニット接続部１１１と、電力用配線１１２、１１５、１１８と、蓄電機器接続部１１３、１１６とを有し、蓄電機器１００は、電力用配線１１４、１１７を有している。また、制御用接続ユニット１２０は、ユニット接続部１２１と、制御用配線１２２、１２５、１２８と、蓄電機器接続部１２３、１２６とを有し、蓄電機器１００は、制御用配線１２４、１２７を有している。
【００８０】
ここで、蓄電機器接続部１１３、１１６、１２３、１２６は、蓄電機器１００と接続可能な接続部である。また、ユニット接続部１１１、１２１は、蓄電機器接続部１１３、１２３と電気的に接続されるとともに、他の蓄電機器１００に接続される他の電力用接続ユニット１１０及び制御用接続ユニット１２０と接続可能な接続部である。なお、蓄電機器接続部１１３、１１６、１２３、１２６、及びユニット接続部１１１、１２１の形状は特に限定されないが、例えばオス・メス型の嵌合方式など別途加工や接続用の部材を必要としないコネクタであるのが好ましい。
【００８１】
そして、図６に示すように、電力用配線１１２の一端がユニット接続部１１１に接続され、電力用配線１１２の他端が蓄電機器接続部１１３に接続されている。また、電力用配線１１４の一端が蓄電機器１００ｂの正極外部接続端子１０１ｂ及び負極外部接続端子１０２ｂに接続され、電力用配線１１４の他端が蓄電機器接続部１１３に接続されている。なお、蓄電機器１００ｂは、２つの蓄電機器１００のうちの下方に配置されている蓄電機器である。
【００８２】
また、制御用配線１２２の一端がユニット接続部１２１に接続され、制御用配線１２２の他端が蓄電機器接続部１２３に接続されている。また、制御用配線１２４の一端が蓄電機器１００ｂの制御機器１０３ｂ内の制御基板に接続され、制御用配線１２４の他端が蓄電機器接続部１２３に接続されている。
【００８３】
また、他の蓄電部１０の電力用配線１１８及び制御用配線１２８（同図では、第二蓄電部１０Ｂの第二電力用配線１１８Ｂ及び第二制御用配線１２８Ｂ）が、収容容器１１の外方から対向開口部１３に挿入されて、ユニット接続部１１１及び１２１に接続される。
【００８４】
そして、図７に示すように、電力用配線１１５の一端が蓄電機器接続部１１３に接続され、電力用配線１１５の他端が蓄電機器接続部１１６に接続されている。また、電力用配線１１７の一端が蓄電機器１００ａの正極外部接続端子１０１ａ及び負極外部接続端子１０２ａに接続され、電力用配線１１７の他端が蓄電機器接続部１１６に接続されている。また、電力用配線１１８の一端が蓄電機器接続部１１６に接続されている。なお、蓄電機器１００ａは、２つの蓄電機器１００のうちの上方に配置されている蓄電機器である。
【００８５】
また、制御用配線１２５の一端が蓄電機器接続部１２３に接続され、制御用配線１２５の他端が蓄電機器接続部１２６に接続されている。また、制御用配線１２７の一端が蓄電機器１００ａの制御機器１０３ａ内の制御基板に接続され、制御用配線１２７の他端が蓄電機器接続部１２６に接続されている。また、制御用配線１２８の一端が蓄電機器接続部１２６に接続されている。
【００８６】
また、電力用配線１１８及び制御用配線１２８は、２つのグロメット１３０に挿入されて、図６に示すように、他端（同図では、第一電力用配線１１８Ａの他端及び第一制御用配線１２８Ａの他端）が、収容容器１１の外方に露出している。なお、この電力用配線１１８及び制御用配線１２８の他端は、他の蓄電部１０のユニット接続部１１１及び１２１、またはパワーコンディショナー部２０に接続される。
【００８７】
なお、これらの図では、電力用配線１１８及び制御用配線１２８がグロメット１３０の開口部に挿入された状態で、グロメット１３０の開口部内の電力用配線１１８及び制御用配線１２８の周囲には空間が生じているが、当該空間がなくなるようなグロメットを用いてもよい。
【００８８】
次に、電力用接続ユニット１１０及び制御用接続ユニット１２０と蓄電機器１００との接続構成について、さらに詳細に説明する。
【００８９】
図８は、本発明の実施の形態に係る電力用接続ユニット１１０及び制御用接続ユニット１２０と蓄電機器１００との接続構成を示す図である。
【００９０】
同図に示すように、電力用接続ユニット１１０は、ユニット接続部１１１として蓄電側ユニット接続部１１１ａに加えて蓄電側ユニット接続部１１１ｂをも有している。また、電力用接続ユニット１１０は、電力用配線１１２、１１５、１１８に加えて電力用配線１１２ａを有し、蓄電機器接続部１１３、１１６として蓄電素子接続部１１３ａ、１１６ａを有している。
【００９１】
ここで、蓄電側ユニット接続部１１１ａは、蓄電素子接続部１１３ａと電気的に接続されるとともに、他の蓄電機器１００に接続される他の電力用接続ユニット１１０と接続可能な接続部である。また、蓄電側ユニット接続部１１１ｂは、蓄電側ユニット接続部１１１ａと同様に、蓄電素子接続部１１６ａと電気的に接続されるとともに、他の蓄電機器１００に接続される他の電力用接続ユニット１１０と接続可能な接続部である。
【００９２】
また、電力用配線１１２ａは、蓄電側ユニット接続部１１１ａと蓄電側ユニット接続部１１１ｂとを接続する配線である。また、蓄電素子接続部１１３ａ、１１６ａは、蓄電機器１００ｂ、１００ａが有する蓄電素子２００に電気的に接続される接続部である。
【００９３】
また、電力用配線１１２は、蓄電側ユニット接続部１１１ａと蓄電素子接続部１１３ａとを接続し、電力用配線１１５は、蓄電素子接続部１１３ａと蓄電素子接続部１１６ａとを接続し、電力用配線１１８は、蓄電素子接続部１１６ａと蓄電側ユニット接続部１１１ｂとを接続する。
【００９４】
つまり、蓄電側ユニット接続部１１１ａは、電力用配線１１２と電力用配線１１２ａとに接続され、蓄電素子接続部１１３ａは、電力用配線１１２と電力用配線１１５とに接続され、蓄電素子接続部１１６ａは、電力用配線１１５と電力用配線１１８とに接続され、蓄電側ユニット接続部１１１ｂは、電力用配線１１８と電力用配線１１２ａとに接続されている。
【００９５】
制御用接続ユニット１２０は、ユニット接続部１２１として制御側ユニット接続部１２１ａに加えて制御側ユニット接続部１２１ｂをも有している。また、制御用接続ユニット１２０は、制御用配線１２２として制御用配線１２２ａ、１２２ｂを有し、制御用配線１２５として制御用配線１２５ａ、１２５ｂを有し、制御用配線１２８として制御用配線１２８ａ、１２８ｂを有し、さらに制御用配線１２２ｃ、１２２ｄを有している。また、制御用接続ユニット１２０は、蓄電機器接続部１２３、１２６として制御機器接続部１２３ａ、１２６ａを有している。
【００９６】
ここで、制御側ユニット接続部１２１ａは、制御機器接続部１２３ａと電気的に接続されるとともに、他の蓄電機器１００に接続される他の電力用接続ユニット１１０と接続可能な接続部である。また、制御側ユニット接続部１２１ｂは、制御側ユニット接続部１２１ａと同様に、制御機器接続部１２６ａと電気的に接続されるとともに、他の蓄電機器１００に接続される制御用接続ユニット１２０と接続可能な接続部である。
【００９７】
また、制御用配線１２２ｃ、１２２ｄは、制御側ユニット接続部１２１ａと制御側ユニット接続部１２１ｂとを接続する配線である。また、制御機器接続部１２３ａ、１２６ａは、蓄電機器１００ｂ、１００ａが有する、蓄電素子２００を制御する制御機器１０３ｂ、１０３ａに電気的に接続される接続部である。
【００９８】
また、制御用配線１２２ａ、１２２ｂは、制御側ユニット接続部１２１ａと制御機器接続部１２３ａとを接続し、制御用配線１２５ａ、１２５ｂは、制御機器接続部１２３ａと制御機器接続部１２６ａとを接続し、制御用配線１２８ａ、１２８ｂは、制御機器接続部１２６ａと制御側ユニット接続部１２１ｂとを接続する。
【００９９】
つまり、制御側ユニット接続部１２１ａは、制御用配線１２２ａ、１２２ｂと制御用配線１２２ｃ、１２２ｄとに接続され、制御機器接続部１２３ａは、制御用配線１２２ａ、１２２ｂと制御用配線１２５ａ、１２５ｂとに接続されている。また、制御機器接続部１２６ａは、制御用配線１２５ａ、１２５ｂと制御用配線１２８ａ、１２８ｂとに接続され、制御側ユニット接続部１２１ｂは、制御用配線１２８ａ、１２８ｂと制御用配線１２２ａ、１２２ｂとに接続されている。
【０１００】
また、蓄電機器１００ｂは、電力用配線１１４として正極側配線１１４ａ及び負極側配線１１４ｂを有し、制御用配線１２４として制御用配線１２４ａ、１２４ｂ、１２４ｃ、１２４ｄを有するとともに、端子側接続部１１３ｂ及び制御側接続部１２３ｂを有している。
【０１０１】
正極側配線１１４ａは、蓄電機器１００ｂの正極外部接続端子１０１ｂに接続される配線であり、負極側配線１１４ｂは、蓄電機器１００ｂの負極外部接続端子１０２ｂに接続される配線である。
【０１０２】
また、端子側接続部１１３ｂは、正極側配線１１４ａ及び負極側配線１１４ｂに接続されるとともに、蓄電素子接続部１１３ａに接続される接続部である。つまり、端子側接続部１１３ｂは、正極側配線１１４ａと電力用配線１１５とを接続するとともに、負極側配線１１４ｂと電力用配線１１２とを接続する。
【０１０３】
また、制御用配線１２４ａ、１２４ｂ、１２４ｃ、１２４ｄは、蓄電機器１００ｂの制御機器１０３ｂ内の制御基板に接続される配線である。ここで、制御機器１０３ｂ内には２枚の制御基板が備えられており、制御用配線１２４ａ、１２４ｂは、一方の制御基板に接続され、制御用配線１２４ｃ、１２４ｄは、他方の制御基板に接続されている。また、当該２枚の制御基板は、２本の配線で接続されている。なお、制御機器１０３ｂ内に配置される制御基板の枚数は特に限定されず、１枚または３枚以上であってもよく、当該制御基板の枚数は、蓄電機器１００ｂに収容される蓄電素子２００の数に応じて増減可能である。
【０１０４】
また、制御側接続部１２３ｂは、制御用配線１２４ａ、１２４ｂ、及び制御用配線１２４ｃ、１２４ｄに接続されるとともに、制御機器接続部１２３ａに接続される接続部である。つまり、制御側接続部１２３ｂは、制御用配線１２４ａと制御用配線１２２ａとを接続し、制御用配線１２４ｂと制御用配線１２２ｂとを接続するとともに、制御用配線１２４ｃと制御用配線１２５ａとを接続し、制御用配線１２４ｄと制御用配線１２５ｂとを接続する。
【０１０５】
また、蓄電機器１００ａは、電力用配線１１７として正極側配線１１７ａ及び負極側配線１１７ｂを有し、制御用配線１２７として制御用配線１２７ａ、１２７ｂ、１２７ｃ、１２７ｄを有するとともに、端子側接続部１１６ｂ及び制御側接続部１２６ｂを有している。
【０１０６】
正極側配線１１７ａは、蓄電機器１００ａの正極外部接続端子１０１ａに接続される配線であり、負極側配線１１７ｂは、蓄電機器１００ａの負極外部接続端子１０２ａに接続される配線である。
【０１０７】
また、端子側接続部１１６ｂは、正極側配線１１７ａ及び負極側配線１１７ｂに接続されるとともに、蓄電素子接続部１１６ａに接続される接続部である。つまり、端子側接続部１１６ｂは、正極側配線１１７ａと電力用配線１１８とを接続するとともに、負極側配線１１７ｂと電力用配線１１５とを接続する。
【０１０８】
また、制御用配線１２７ａ、１２７ｂ、１２７ｃ、１２７ｄは、蓄電機器１００ａの制御機器１０３ａ内の制御基板に接続される配線である。ここで、制御機器１０３ａ内には２枚の制御基板が備えられており、制御用配線１２７ａ、１２７ｂは、一方の制御基板に接続され、制御用配線１２７ｃ、１２７ｄは、他方の制御基板に接続されている。また、当該２枚の制御基板は、２本の配線で接続されている。なお、制御機器１０３ａ内に配置される制御基板の枚数は特に限定されず、１枚または３枚以上であってもよく、当該制御基板の枚数は、蓄電機器１００ａに収容される蓄電素子２００の数に応じて増減可能である。
【０１０９】
また、制御側接続部１２６ｂは、制御用配線１２７ａ、１２７ｂ、及び制御用配線１２７ｃ、１２７ｄに接続されるとともに、制御機器接続部１２６ａに接続される接続部である。つまり、制御側接続部１２６ｂは、制御用配線１２７ａと制御用配線１２５ａとを接続し、制御用配線１２７ｂと制御用配線１２５ｂとを接続するとともに、制御用配線１２７ｃと制御用配線１２８ａとを接続し、制御用配線１２７ｄと制御用配線１２８ｂとを接続する。
【０１１０】
以上のように、蓄電機器接続部１１３、１１６、１２３、１２６は、蓄電機器１００が有する蓄電素子２００に電気的に接続される蓄電素子接続部１１３ａ、１１６ａと、蓄電機器１００が有する制御機器１０３に電気的に接続される制御機器接続部１２３ａ、１２６ａとを有している。つまり、蓄電機器接続部１１３、１１６、１２３、１２６は、蓄電機器１００が有する、蓄電素子２００及び制御機器１０３のうちの少なくとも一方に電気的に接続される。また、蓄電機器接続部１１３、１１６、１２３、１２６のそれぞれは、蓄電機器１００に含まれる複数の配線と電気的に接続される。
【０１１１】
また、蓄電機器接続部１１３、１１６のそれぞれは、蓄電機器１００に接続された２本の配線と接続されている。そして、蓄電側ユニット接続部１１１ａは、蓄電機器接続部１１３に接続された１本の配線と接続されており、蓄電側ユニット接続部１１１ｂは、蓄電機器接続部１１６に接続された１本の配線と電気的に接続されている。また、蓄電機器接続部１１３と蓄電機器接続部１１６とは、１本の配線で接続されており、蓄電側ユニット接続部１１１ａと蓄電側ユニット接続部１１１ｂとは、１本の配線で接続されている。
【０１１２】
同様に、蓄電機器接続部１２３、１２６のそれぞれは、蓄電機器１００に接続された４本の配線と接続されている。そして、制御側ユニット接続部１２１ａは、蓄電機器接続部１２３に接続された２本の配線と接続されており、制御側ユニット接続部１２１ｂは、蓄電機器接続部１２６に接続された２本の配線と電気的に接続されている。また、蓄電機器接続部１２３と蓄電機器接続部１２６とは、２本の配線で接続されており、制御側ユニット接続部１２１ａと制御側ユニット接続部１２１ｂとは、２本の配線で接続されている。これにより、カレントループ通信による制御を行うことができる。
【０１１３】
なお、蓄電側ユニット接続部１１１ｂ及び制御側ユニット接続部１２１ｂ以外の接続部は、収容容器１１に固定されており、蓄電側ユニット接続部１１１ｂと制御側ユニット接続部１２１ｂとが他の接続ユニットの蓄電側ユニット接続部１１１ａと制御側ユニット接続部１２１ａとに接続されることで、異なる接続ユニット同士が接続される。
【０１１４】
ここで、異なる蓄電部１０同士における異なる接続ユニット同士の接続について、説明する。具体的には、以下では、第一蓄電部１０Ａの第一電力用接続ユニット１１０Ａと第二蓄電部１０Ｂの第二電力用接続ユニット１１０Ｂとの接続について、説明する。なお、第一蓄電部１０Ａの第一制御用接続ユニット１２０Ａと第二蓄電部１０Ｂの第二制御用接続ユニット１２０Ｂとの接続についても、同様であるため詳細な説明は省略する。
【０１１５】
図９は、本発明の実施の形態に係る第一蓄電部１０Ａの第一電力用接続ユニット１１０Ａと第二蓄電部１０Ｂの第二電力用接続ユニット１１０Ｂとの接続の構成を示す図である。
【０１１６】
同図に示すように、第一蓄電部１０Ａの第一電力用接続ユニット１１０Ａと第二蓄電部１０Ｂの第二電力用接続ユニット１１０Ｂとは、同一の構成で形成されている。そして、第一電力用接続ユニット１１０Ａ及び第二電力用接続ユニット１１０Ｂともに、蓄電側ユニット接続部１１１ａと蓄電側ユニット接続部１１１ｂとが互いに接続可能に形成されている。
【０１１７】
このため、第一電力用接続ユニット１１０Ａの蓄電側ユニット接続部１１１ａと、第二電力用接続ユニット１１０Ｂの蓄電側ユニット接続部１１１ｂとを接続することで、第一電力用接続ユニット１１０Ａと第二電力用接続ユニット１１０Ｂとが接続される。
【０１１８】
つまり、第一電力用接続ユニット１１０Ａの電力用配線１１２と第二電力用接続ユニット１１０Ｂの電力用配線１１８とが接続され、第一電力用接続ユニット１１０Ａの電力用配線１１２ａと第二電力用接続ユニット１１０Ｂの電力用配線１１２ａとが接続される。
【０１１９】
以上のように、電力用接続ユニット１１０は、２つのユニット接続部である蓄電側ユニット接続部１１１ａと蓄電側ユニット接続部１１１ｂとを有しており、当該２つのユニット接続部は、互いに接続可能に形成されている。また、同様に、制御用接続ユニット１２０は、２つのユニット接続部である制御側ユニット接続部１２１ａと制御側ユニット接続部１２１ｂとを有しており、当該２つのユニット接続部は、互いに接続可能に形成されている。
【０１２０】
つまり、蓄電装置１は、一の蓄電機器及び他の蓄電機器（第一蓄電機器１００Ａ及び第二蓄電機器１００Ｂ）と、一の接続ユニット（第一電力用接続ユニット１１０Ａ及び第一制御用接続ユニット１２０Ａ）及び他の接続ユニット（第二電力用接続ユニット１１０Ｂ及び第二制御用接続ユニット１２０Ｂ）とを備えている。そして、他の接続ユニットは、他の蓄電機器と接続可能な他の蓄電機器接続部と、他の蓄電機器接続部と電気的に接続されるとともに、一の接続ユニットが有するユニット接続部と接続可能な他のユニット接続部とを有している。
【０１２１】
また、蓄電装置１は、第二電力用接続ユニット１１０Ｂの蓄電側ユニット接続部１１１ａに接続される２つの配線である電力用配線１１２及び電力用配線１１２ａを電気的に接続する配線接続部１４０を備えている。つまり、配線接続部１４０は、接続用配線１４１によって電力用配線１１２と電力用配線１１２ａとを接続する。
【０１２２】
また、同様に、蓄電装置１は、第二電力用接続ユニット１１０Ｂの制御側ユニット接続部１２１ａに接続される２つの配線である制御用配線１２２ａ、１２２ｂ及び制御用配線１２２ｃ、１２２ｄを電気的に接続する配線接続部１４２（図示せず）を備えている。つまり、配線接続部１４２は、制御用配線１２２ａと制御用配線１２２ｃとを接続するとともに、制御用配線１２２ｂと制御用配線１２２ｄとを接続する。
【０１２３】
次に、蓄電機器１００が取り外された場合の接続ユニットの接続について、説明する。具体的には、以下では、第一蓄電部１０Ａが有する第一蓄電機器１００Ａの蓄電機器１００ｂが取り外された場合の第一電力用接続ユニット１１０Ａの接続について、説明する。なお、他の蓄電機器１００が取り外された場合の他の電力用接続ユニット１１０の接続、または、蓄電機器１００が取り外された場合の制御用接続ユニット１２０の接続についても、同様であるため詳細な説明は省略する。
【０１２４】
図１０は、本発明の実施の形態に係る第一蓄電部１０Ａが有する蓄電機器１００ｂが取り外された場合の第一電力用接続ユニット１１０Ａの接続の構成を示す図である。
【０１２５】
同図に示すように、蓄電装置１は、第一電力用接続ユニット１１０Ａの蓄電素子接続部１１３ａに接続される２つの配線である電力用配線１１２及び電力用配線１１５を電気的に接続する配線接続部１５０を備えている。つまり、配線接続部１５０は、接続用配線１５１によって電力用配線１１２と電力用配線１１５とを接続する。
【０１２６】
また、同様に、蓄電装置１は、第一制御用接続ユニット１２０Ａの制御機器接続部１２３ａに接続される２つの配線である制御用配線１２２ａ、１２２ｂ及び制御用配線１２５ａ、１２５ｂを電気的に接続する配線接続部１５２（図示せず）を備えている。つまり、配線接続部１５２は、制御用配線１２２ａと制御用配線１２５ａとを接続するとともに、制御用配線１２２ｂと制御用配線１２５ｂとを接続する。
【０１２７】
これらのように、蓄電装置１は、蓄電機器接続部１１３、１１６、１２３、１２６及びユニット接続部１１１、１２１のうちの少なくとも一方に接続される２つの配線を電気的に接続する配線接続部を備えている。
【０１２８】
以上のように、本発明の実施の形態に係る蓄電装置１によれば、蓄電機器１００と他の蓄電機器１００とを接続可能な接続ユニットである電力用接続ユニット１１０及び制御用接続ユニット１２０を備えており、当該接続ユニットは、蓄電機器１００と接続可能な蓄電機器接続部１１３、１１６、１２３、１２６と、他の接続ユニットと接続可能なユニット接続部１１１、１２１とを有している。つまり、隣接する蓄電機器１００に接続した接続ユニット同士を接続することで、隣接する蓄電機器１００を接続することができる。このため、蓄電装置１によれば、当該接続ユニットを用いることで、蓄電機器１００同士を容易に接続することができる。特に、蓄電機器１００を収容した収容容器１１同士を連結可能に構成して、蓄電機器１００の数を変更可能とするような構成の蓄電装置１においては、接続ユニットを接続するだけで蓄電機器１００同士を容易に接続することができるため、接続作業の効率を非常に高めることができる。
【０１２９】
また、接続ユニットの蓄電機器接続部１１３、１１６、１２３、１２６は、蓄電機器１００が有する蓄電素子２００及び制御機器１０３のうちの少なくとも一方に電気的に接続されるため、当該接続ユニットを用いて、隣接する蓄電機器１００が有する蓄電素子２００の電力用配線または制御用配線を容易に接続することができる。
【０１３０】
また、接続ユニットの蓄電機器接続部１１３、１１６、１２３、１２６のそれぞれは、蓄電機器１００に含まれる複数の配線と接続されるため、蓄電機器１００に含まれる複数の配線との接続を、蓄電機器接続部１１３、１１６、１２３、１２６のそれぞれの箇所でまとめて行うことができる。このため、接続ユニットと蓄電機器１００とを容易に接続することができる。
【０１３１】
また、蓄電機器１００は、離間して配置された正極外部接続端子１０１及び負極外部接続端子１０２に配線で接続された端子側接続部１１３ｂ、１１６ｂを有しており、端子側接続部１１３ｂ、１１６ｂを蓄電機器接続部１１３、１１６に接続することで、蓄電機器１００を接続ユニットに接続する。これにより、正極外部接続端子１０１と負極外部接続端子１０２とが離間して配置されていても、容易に蓄電機器１００と接続ユニットとを接続することができる。特に、収容容器１１内に蓄電機器１００を配置してから蓄電機器１００に接続ユニットを接続する構成においては、接続作業の効率を非常に高めることができる。
【０１３２】
また、接続ユニットは、互いに接続可能な２つのユニット接続部を有している。つまり、接続ユニットの一方のユニット接続部と他方のユニット接続部とが接続可能に形成されている。このため、同じ接続ユニットを２つ用いることで、当該２つの接続ユニットのうちの一の接続ユニットの一方のユニット接続部と、他の接続ユニットの他方のユニット接続部とを接続することができる。このように、異なる接続ユニットを製造する必要がないため、製造が容易になり、また蓄電機器１００に応じて接続ユニットを変更するような必要もないため、接続作業を容易に行うことができる。
【０１３３】
また、蓄電装置１は、蓄電機器接続部１１３、１１６、１２３、１２６及びユニット接続部１１１、１２１のうち何も接続されていない接続部については、配線接続部によって、当該接続部に接続される２つの配線を短絡することができる。つまり、配線経路の終端部となるユニット接続部１１１、１２１、または蓄電機器１００が接続されない蓄電機器接続部１１３、１１６、１２３、１２６については、当該接続部内の途切れた配線を配線接続部によって繋ぐことができる。これにより、蓄電装置１の構成に応じて異なる接続ユニットを製造する必要がないため、製造が容易になり、また蓄電装置１の構成に応じて接続ユニットを変更するような必要もないため、接続作業を容易に行うことができる。
【０１３４】
また、接続ユニットの蓄電機器接続部１１３、１１６、１２３、１２６及びユニット接続部１１１、１２１は、電力用の接続部及び制御用の接続部の双方を有しているため、隣接する蓄電機器１００同士の電力用の配線及び制御用の配線の双方を、接続ユニットによって容易に接続することができる。
【０１３５】
また、蓄電装置１は、２つの蓄電機器１００と、当該２つの蓄電機器１００のそれぞれと接続可能な２つの接続ユニットとを備えている。つまり、蓄電装置１は、接続ユニットを用いることによって、蓄電機器１００を増設することができる。このように、蓄電機器１００の数を変更可能とするような構成の蓄電装置１においては、接続ユニットを接続するだけで蓄電機器１００同士を容易に接続することができるため、接続作業の効率を高めることができる。
【０１３６】
（変形例）
上記実施の形態では、複数の蓄電部１０（及び複数の蓄電機器１００）は、直列接続されていることとした。しかし、本変形例では、複数の蓄電部１０（及び複数の蓄電機器１００）は、並列接続される。
【０１３７】
図１１は、本発明の実施の形態の変形例に係る第一蓄電部１０Ａの第一電力用接続ユニット１６０Ａと第二蓄電部１０Ｂの第二電力用接続ユニット１６０Ｂとの接続の構成を示す図である。なお、制御用接続ユニットについても電力用接続ユニットと同様の構成を有しているため、制御用接続ユニットの詳細な説明は後述する。
【０１３８】
同図に示すように、第一蓄電部１０Ａの第一電力用接続ユニット１６０Ａと第二蓄電部１０Ｂの第二電力用接続ユニット１６０Ｂとは、同一の構成で形成されている。そして、第一電力用接続ユニット１６０Ａ及び第二電力用接続ユニット１６０Ｂともに、蓄電側ユニット接続部１６１ａと蓄電側ユニット接続部１６１ｂとが互いに接続可能に形成されている。
【０１３９】
このため、第一電力用接続ユニット１６０Ａの蓄電側ユニット接続部１６１ａと、第二電力用接続ユニット１６０Ｂの蓄電側ユニット接続部１６１ｂとを接続することで、第一電力用接続ユニット１６０Ａと第二電力用接続ユニット１６０Ｂとが接続される。
【０１４０】
つまり、第一電力用接続ユニット１６０Ａの電力用配線１６２ａと第二電力用接続ユニット１６０Ｂの電力用配線１６２ａとが接続され、第一電力用接続ユニット１６０Ａの電力用配線１６２ｂと第二電力用接続ユニット１６０Ｂの電力用配線１６２ｂとが接続される。
【０１４１】
また、第一電力用接続ユニット１６０Ａにおいて、電力用配線１６２ａと電力用配線１６５ａ及び１６８ａとが接続されており、電力用配線１６２ｂと電力用配線１６５ｂ及び１６８ｂとが接続されている。また、第二電力用接続ユニット１６０Ｂにおいても同様に、電力用配線１６２ａと電力用配線１６５ａ及び１６８ａとが接続されており、電力用配線１６２ｂと電力用配線１６５ｂ及び１６８ｂとが接続されている。
【０１４２】
なお、第一電力用接続ユニット１６０Ａ及び第二電力用接続ユニット１６０Ｂにおいて、電力用配線１６２ａと電力用配線１６５ａ、または電力用配線１６２ａと電力用配線１６８ａとは、例えばＴ字型の配線接続とすることができる。このＴ字型の配線接続は、接続点に集まる３本の配線を圧着することで形成することができる。
【０１４３】
また、第一電力用接続ユニット１６０Ａ及び第二電力用接続ユニット１６０Ｂにおいて、蓄電素子接続部１６３ａは、電力用配線１６５ａ及び電力用配線１６５ｂに接続されている。また、蓄電素子接続部１６３ａは、電力用配線１６５ａ及び電力用配線１６５ｂを、端子側接続部１１３ｂに接続された正極側配線１１４ａ及び負極側配線１１４ｂにそれぞれ接続する。
【０１４４】
また同様に、第一電力用接続ユニット１６０Ａ及び第二電力用接続ユニット１６０Ｂにおいて、蓄電素子接続部１６６ａは、電力用配線１６８ａ及び電力用配線１６８ｂに接続されている。また、蓄電素子接続部１６６ａは、電力用配線１６８ａ及び電力用配線１６８ｂを、端子側接続部１１６ｂに接続された正極側配線１１７ａ及び負極側配線１１７ｂにそれぞれ接続する。
【０１４５】
また、第二電力用接続ユニット１６０Ｂの電力用配線１６２ａ及び電力用配線１６２ｂは、配線絶縁部１７０に接続される。ここで、配線絶縁部１７０は、樹脂など絶縁性の部材であり、第二電力用接続ユニット１６０Ｂの電力用配線１６２ａと電力用配線１６２ｂとを絶縁する。
【０１４６】
以上のように、本発明の実施の形態に係る蓄電装置によっても、上記の実施の形態と同様の効果を奏することができる。特に、本変形例によって、複数の蓄電部１０（及び複数の蓄電機器１００）を容易に並列接続することができる。
【０１４７】
以上、本発明の実施の形態に係る蓄電装置１及び接続ユニットについて説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１４８】
例えば、上記実施の形態では、接続ユニット（電力用接続ユニット１１０及び制御用接続ユニット１２０）は、２つの蓄電機器１００（蓄電機器１００ａ及び１００ｂ）と接続されるように、蓄電機器接続部１１３、１１６、１２３、１２６を有していることとした。しかし、接続ユニットは、１つまたは３つ以上の蓄電機器１００と接続されるように、構成されていてもかまわない。また、接続ユニットは、複数の蓄電機器１００を、本実施の形態のように直列接続するように構成されてもよいし、並列接続するように構成されてもかまわない。
【０１４９】
また、上記実施の形態において、正極と負極とが逆転してもかまわない。つまり、例えば、図８において、電力用配線１１５が正極側配線１１７ａに接続され、電力用配線１１８が負極側配線１１７ｂに接続され、また、電力用配線１１２が正極側配線１１４ａに接続され、電力用配線１１５が負極側配線１１４ｂに接続されるような構成でもかまわない。
【０１５０】
また、上記実施の形態では、蓄電機器１００の正極外部接続端子１０１及び負極外部接続端子１０２ともに、対向開口部１３側に配置されていることとしたが、正極外部接続端子１０１及び負極外部接続端子１０２のいずれか一方のみが対向開口部１３側に配置されていることにしてもよい。このように正極外部接続端子１０１と負極外部接続端子１０２とが離間して配置されていても、容易に蓄電機器１００と接続ユニットとを接続することができる。また、このような構成においては、正極外部接続端子１０１及び負極外部接続端子１０２を収容容器１１の手前側（例えば図３のＸ軸方向マイナス側）に配置することで、正極外部接続端子１０１及び負極外部接続端子１０２に接続される配線のメンテナンスが容易になるという効果が奏される。
【０１５１】
また、上記実施の形態では、接続ユニットは、電力用接続ユニット１１０及び制御用接続ユニット１２０を備えることとしたが、電力用接続ユニット１１０及び制御用接続ユニット１２０のいずれか一方しか備えていない構成でもかまわない。
【０１５２】
また、上記実施の形態では、蓄電装置１は、２つの蓄電部１０（第一蓄電部１０Ａ及び第二蓄電部１０Ｂ）を備えていることとしたが、蓄電部１０の数は限定されない。図１２及び図１３は、本発明の実施の形態の変形例に係る蓄電装置２及び３の外観を示す斜視図である。
【０１５３】
図１２に示すように、蓄電装置２は、３つの蓄電部１０である第一蓄電部１０Ａ、第二蓄電部１０Ｂ及び第三蓄電部１０Ｃを備えている。ここで、第一蓄電部１０Ａ、第二蓄電部１０Ｂ及び第三蓄電部１０Ｃは、全て同一形状で構成されている。つまり、上記実施の形態における蓄電装置１の第二蓄電部１０Ｂとベース部３０との間に、第三蓄電部１０Ｃを挿入して、接続ユニット同士を接続することで、蓄電装置２を構成している。
【０１５４】
このように、第一蓄電部１０Ａ、第二蓄電部１０Ｂ及び第三蓄電部１０Ｃが全て連結可能な同一形状で構成されているため、第三蓄電部１０Ｃを簡易に増設することができる。なお、蓄電装置２は、４つ以上の蓄電部１０を備えている構成でもかまわない。
【０１５５】
また、図１３に示すように、蓄電装置３は、１つの蓄電部１０（第一蓄電部１０Ａ）しか備えていない。つまり、上記実施の形態における蓄電装置１の第二蓄電部１０Ｂを取り外して、ベース部３０上に第一蓄電部１０Ａを載置することで、蓄電装置３を構成している。
【０１５６】
このように、第一蓄電部１０Ａ及び第二蓄電部１０Ｂが連結可能な同一形状で構成されているため、第二蓄電部１０Ｂを簡易に取り外すことができる。
【０１５７】
なお、上記実施の形態及びその変形例では、蓄電装置は、パワーコンディショナー部２０と蓄電部１０とを縦に配列した構成であるが、パワーコンディショナー部２０と蓄電部１０とを横に配列した構成でもよいし、パワーコンディショナー部２０を蓄電部１０の下方に配置する構成でもかまわない。
【０１５８】
また、上記実施の形態及びその変形例では、蓄電装置は、複数の蓄電部１０を縦に配列した構成であるが、複数の蓄電部１０を横に配列した構成でもよいし、Ｌ字状に配列した構成でもかまわない。
【０１５９】
また、上記実施の形態及びその変形例では、蓄電機器は、収容容器１１に収容されていることとした。しかし、蓄電機器は、収容容器１１に収容されておらず、別の容器に収容されている、または容器には収容されていない構成でもかまわない。
【０１６０】
また、上記実施の形態及びその変形例では、下側連結部材１０４と上側連結部材１０５とで複数の蓄電素子２００を挟み込むように固定することで、複数の蓄電素子２００を連結することとした。しかし、複数の蓄電素子２００は、容器に収容されるなど、保護するための板金で覆われているだけの構成でもかまわない。
【０１６１】
また、上記実施の形態及びその変形例では、制御用接続ユニット１２０は、カレントループ通信用に２本ずつの制御用配線を有していることとした。しかし、制御用接続ユニット１２０は、１本の制御用配線によって構成されていてもかまわない。
【０１６２】
また、上記実施の形態及びその変形例では、蓄電装置は、複数の収容容器が連結可能に構成されており、当該複数の収容容器は連結して接続されることとした。しかし、複数の収容容器は、隣接配置可能に構成されており、隣接して配置されるのであれば、どのような構成であってもかまわない。例えば、一の収容容器が他の収容容器上に単に載置される構成や、複数の収容容器が床の上に載置されて並べられる構成であってもかまわない。
【０１６３】
また、上記実施の形態及びその変形例を任意に組み合わせて構築される形態も、本発明の範囲内に含まれる。
【産業上の利用可能性】
【０１６４】
本発明は、１以上の蓄電素子を有する蓄電機器同士を容易に接続することができる蓄電装置等に適用できる。
【符号の説明】
【０１６５】
１、２、３  蓄電装置
１０  蓄電部
１０Ａ  第一蓄電部
１０Ｂ  第二蓄電部
１０Ｃ  第三蓄電部
１１  収容容器
１１Ａ  第一収容容器
１１Ｂ  第二収容容器
１２  載置部
１２Ａ  第一載置部
１２Ｂ  第二載置部
１３  対向開口部
１３Ａ  第一対向開口部
１３Ｂ  第二対向開口部
２０  パワーコンディショナー部
２１  入出力部
３０  ベース部
１００、１００ａ、１００ｂ  蓄電機器
１００Ａ  第一蓄電機器
１００Ｂ  第二蓄電機器
１０１、１０１ａ、１０１ｂ  正極外部接続端子
１０２、１０２ａ、１０２ｂ  負極外部接続端子
１０３、１０３ａ、１０３ｂ  制御機器
１０４  下側連結部材
１０５  上側連結部材
１１０  電力用接続ユニット
１１０Ａ、１６０Ａ  第一電力用接続ユニット
１１０Ｂ、１６０Ｂ  第二電力用接続ユニット
１１１、１２１  ユニット接続部
１１１ａ、１１１ｂ、１６１ａ、１６１ｂ  蓄電側ユニット接続部
１１２、１１２ａ、１１４、１１５、１１７、１１８、１６２ａ、１６２ｂ、１６５ａ、１６５ｂ、１６８ａ、１６８ｂ  電力用配線
１１３、１１６、１２３、１２６  蓄電機器接続部
１１３ａ、１１６ａ、１６３ａ、１６６ａ  蓄電素子接続部
１１３ｂ、１１６ｂ  端子側接続部
１１４ａ、１１７ａ  正極側配線
１１４ｂ、１１７ｂ  負極側配線
１１８Ａ  第一電力用配線
１１８Ｂ  第二電力用配線
１２０  制御用接続ユニット
１２０Ａ  第一制御用接続ユニット
１２０Ｂ  第二制御用接続ユニット
１２１ａ、１２１ｂ  制御側ユニット接続部
１２２、１２２ａ〜１２２ｄ、１２４、１２４ａ〜１２４ｄ、１２５、１２５ａ、１
２５ｂ、１２７、１２７ａ〜１２７ｄ、１２８、１２８ａ、１２８ｂ  制御用配線
１２３ａ、１２６ａ  制御機器接続部
１２３ｂ、１２６ｂ  制御側接続部
１２８Ａ  第一制御用配線
１２８Ｂ  第二制御用配線
１３０  グロメット
１３０Ａ  第一グロメット
１３０Ｂ  第二グロメット
１４０、１４２、１５０、１５２  配線接続部
１４１、１５１  接続用配線
１７０  配線絶縁部
２００  蓄電素子
２１０  容器
２２０  容器蓋部
２３０  正極端子
２４０  負極端子
２５０  電極体
２６０  正極集電体
２７０  負極集電体
【図１】
2018142547.tif 000003
【図２】
2018142547.tif 000004
【図３】
2018142547.tif 000005
【図４】
2018142547.tif 000006
【図５】
2018142547.tif 000007
【図６】
2018142547.tif 000008
【図７】
2018142547.tif 000009
【図８】
2018142547.tif 000010
【図９】
2018142547.tif 000011
【図１０】
2018142547.tif 000012
【図１１】
2018142547.tif 000013
【図１２】
2018142547.tif 000014
【図１３】
2018142547.tif 000015
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
１以上の蓄電素子及び当該蓄電素子を制御する制御機器のうちの少なくとも一方を有する蓄電機器を備える蓄電装置であって、
前記蓄電機器と、前記蓄電機器と異なる他の蓄電機器とを接続可能な接続ユニットを備え、
前記接続ユニットは、
前記蓄電機器と接続可能な蓄電機器接続部と、
前記蓄電機器接続部と電気的に接続されるとともに、少なくとも１つが他の接続ユニットと接続可能な２つのユニット接続部である第一ユニット接続部及び第二ユニット接続部と、
前記第一ユニット接続部及び前記第二ユニット接続部を接続する第一配線と、を有し、
前記第一ユニット接続部及び前記第二ユニット接続部の少なくとも１つは、前記他の接続ユニットが有する他の第一ユニット接続部及び他の第二ユニット接続部の少なくとも１つと接続可能に形成されている
蓄電装置。
【請求項２】
前記接続ユニットは、さらに、
前記蓄電機器接続部及び前記第一ユニット接続部を接続する第二配線と、
前記蓄電機器接続部及び前記第二ユニット接続部を接続する第三配線と、を有する
請求項１に記載の蓄電装置。
【請求項３】
前記接続ユニットは、複数の前記蓄電機器接続部を有し、
前記第二配線は、前記複数の蓄電機器接続部のうちの一の蓄電機器接続部と前記第一ユニット接続部とを接続し、
前記第三配線は、前記複数の蓄電機器接続部のうちの他の蓄電機器接続部と前記第二ユニット接続部とを接続し、
前記接続ユニットは、さらに、
前記複数の蓄電機器接続部のうちの２つの蓄電機器接続部を接続する第四配線を有する
請求項２に記載の蓄電装置。
【請求項４】
さらに、
前記第一配線及び前記第二配線と、前記第一配線及び前記第三配線と、前記第二配線及び前記第三配線とのうちの少なくとも１つにおける２つの配線を電気的に接続する配線接続部を備える
請求項２または３に記載の蓄電装置。
【請求項５】
前記接続ユニットは、２つの前記第一配線を有し、
前記接続ユニットは、さらに、
前記蓄電機器接続部及び前記２つの第一配線の一方を接続する第五配線と、
前記蓄電機器接続部及び前記２つの第一配線の他方を接続する第六配線と、を有する
請求項１に記載の蓄電装置。
【請求項６】
１以上の蓄電素子及び当該蓄電素子を制御する制御機器のうちの少なくとも一方を有する蓄電機器と、前記蓄電機器と異なる他の蓄電機器とを接続可能な接続ユニットであって、
前記蓄電機器と接続可能な蓄電機器接続部と、
前記蓄電機器接続部と電気的に接続されるとともに、少なくとも１つが他の接続ユニットと接続可能な２つのユニット接続部である第一ユニット接続部及び第二ユニット接続部と、
前記第一ユニット接続部及び前記第二ユニット接続部を接続する第一配線と、を備え、
前記第一ユニット接続部及び前記第二ユニット接続部の少なくとも１つは、前記他の接続ユニットが備える他の第一ユニット接続部及び他の第二ユニット接続部の少なくとも１つと接続可能に形成されている
接続ユニット。
【手続補正２】
【補正対象書類名】明細書
【補正対象項目名】００９９
【補正方法】変更
【補正の内容】
【００９９】
つまり、制御側ユニット接続部１２１ａは、制御用配線１２２ａ、１２２ｂと制御用配線１２２ｃ、１２２ｄとに接続され、制御機器接続部１２３ａは、制御用配線１２２ａ、１２２ｂと制御用配線１２５ａ、１２５ｂとに接続されている。また、制御機器接続部１２６ａは、制御用配線１２５ａ、１２５ｂと制御用配線１２８ａ、１２８ｂとに接続され、制御側ユニット接続部１２１ｂは、制御用配線１２８ａ、１２８ｂと制御用配線１２２ｃ、１２２ｄとに接続されている。